(57)【要約】【課題】動作特性にバラツキがなく長寿命の押釦スイッチを提供することにある。【解決手段】底面に固定接点１２ａ，１３ａ，１３ｂを配置したベース１０と前記ベース１０に組み付けたカバー４０とで形成されるハウジング内に、操作部材３０を軸心方向にスライド可能に挿入し、前記操作部材３０の操作片３４の先端部３５を前記カバー４０の天井面から斜め内側に切り出したガイド部４４に沿って摺動し、前記ハウジング内に収納した可動接点２０を押圧することにより、前記可動接点２０を前記固定接点１２ａに接離させて回路を開閉する押釦スイッチである。そして、前記カバー４０の天井面に形成した貫通孔４３の縁部に、前記操作部材３０の操作片３４の先端部３５が摺動可能な前記ガイド部４４と、このガイド部４４の両側に前記カバー４０の天井面に連続する補強部４５と、を形成した。【選択図】図２
2007173172.tif 000002
【特許請求の範囲】
【請求項１】
底面に固定接点を配置したベースと前記ベースに組み付けたカバーとで形成されるハウジング内に、操作部材を軸心方向にスライド可能に挿入し、前記操作部材の操作片の先端部を前記カバーの天井面から斜め内側に切り出したガイド部に沿って摺動し、前記ハウジング内に収納した可動接点を押圧することにより、前記可動接点を前記固定接点に接離させて回路を開閉する押釦スイッチにおいて、
前記カバーの天井面に形成した貫通孔の縁部に、前記操作部材の操作片の先端部が摺動可能な前記ガイド部と、このガイド部の少なくとも片側に前記カバーの天井面に連続する補強部と、を形成したことを特徴とする押釦スイッチ。
【請求項２】
操作部材から延在する略Ｕ字形状の枠体を、ベースの上面両側縁部に沿って平行に突設した一対のガイド用リブでガイドすることを特徴する請求項１に記載の押釦スイッチ。
【発明の詳細な説明】
【技術分野】
【０００１】
本発明は押釦スイッチ、特に、軸心方向に操作部材を挿入して接点を開閉する押釦スイッチに関する。
【背景技術】
【０００２】
従来、押釦スイッチとしては、ハウジングに組み付けた操作部材を側方から押し込んで可動接点を反転させ、前記可動接点を固定接点に接離させて回路を開閉するものがある。例えば、ハウジングを構成するふた体１７の平面中央部から片持ち梁形状の傾斜片３３を切り出し、この傾斜片３３に操作部材１６の作動部３４を押し当てることにより、可動接点１４を反転させて回路を開閉するものがある（特許文献１参照）。
【０００３】
また、ハウジングを構成する押え板３３の切り欠き部３４内に両端支持された略Ｖ字形状の折り曲げ部３５を設け、この折り曲げ部３５に操作部材１９の接点押圧部２９を押し当てることにより、可動接点１８を反転させて回路を開閉するものがある（特許文献２参照）。
【特許文献１】実開平５−８３９５８号公報
【特許文献２】実開平５−１１２６号公報
【発明の開示】
【発明が解決しようとする課題】
【０００４】
しかしながら、前者の押釦スイッチでは、傾斜片３３が片持ち梁形状であるので、弾性変形しやすく、可動接点を正確に押し込むことが容易でなく、動作特性にバラツキが生じやすい。
【０００５】
また、後者の押釦スイッチでは、両端支持された略Ｖ字形状の折り曲げ部３５をプレス加工で深絞りする必要がある。このため、折り曲げ部３５の加工面、特に、操作部材１９の接点押圧部２９が圧接する傾斜面に荒れが生じやすく、前記傾斜面を摺動する操作部材１９が摩耗しやすいので、寿命が短いという問題点がある。
【０００６】
本発明は、前記問題点に鑑み、動作特性にバラツキがなく長寿命の押釦スイッチを提供することを課題とする。
【課題を解決するための手段】
【０００７】
本発明にかかる押釦スイッチは、前記課題を解決すべく、底面に固定接点を配置したベースと前記ベースに組み付けたカバーとで形成されるハウジング内に、操作部材を軸心方向にスライド可能に挿入し、前記操作部材の操作片の先端部を前記カバーの天井面から斜め内側に切り出したガイド部に沿って摺動し、前記ハウジング内に収納した可動接点を押圧することにより、前記可動接点を前記固定接点に接離させて回路を開閉する押釦スイッチにおいて、前記カバーの天井面に形成した貫通孔の縁部に、前記操作部材の操作片の先端部が摺動可能な前記ガイド部と、このガイド部の少なくとも片側に前記カバーの天井面に連続する補強部と、を形成した構成としてある。
【発明の効果】
【０００８】
本発明によれば、操作部材が摺動するガイド部が補強部材で補強されているので、従来例のように弾性変形しにくく、正確に可動接点を押し込むことができ、動作特性にバラツキのない押釦スイッチが得られる。
また、カバーの天井面に設けた貫通孔の縁部に前記ガイド部および補強部を連続的に設けてあるので、従来例のように深絞りする必要がない。このため、ガイド部の摺動面に荒れが生じにくく、前記ガイド部を摺動する操作部材の先端部が摩耗しにくいので、長寿命の押釦ボタンスイッチが得られる。特に、面の荒れが補強部に集中するようにプレス加工し、前記ガイド部における荒れの発生を回避することにより、より一層、長寿命の押釦スイッチが得られる。
【０００９】
本発明にかかる実施形態としては、操作部材から延在する略Ｕ字形状の枠体を、ベースの上面両側縁部に沿って平行に突設した一対のガイド用リブでガイドするようにしてもよい。
【００１０】
本実施形態によれば、操作部材の両側がベースに設けた一対のガイド用リブで正確にガイドされるので、動作特性にバラツキのない押釦スイッチが得られるという効果がある。
【発明を実施するための最良の形態】
【００１１】
本発明にかかる実施形態を図１ないし図６の添付図面に従って説明する。
本実施形態は、ベース１０と、可動接点２０と、絶縁シート２５と、操作部材３０と、カバー４０とから構成されている。
【００１２】
前記ベース１０は、その上面中央に平面略円形の凹所１１を設け、前記凹所１１の底面中央に、固定接点端子１２に導通する中央固定接点１２ａを突設するとともに、前記中央固定接点１２ａを間にして対向する位置に、固定接点端子１３に導通する一対の固定接点１３ａ，１３ｂをそれぞれ配置してある。また、前記ベース１０は、その上面の対向する両側縁部にガイド用リブ１４，１５をそれぞれ突設してある。さらに、前記ガイド用リブ１４，１５は、その両端部に係合用突起１４ａ，１４ｂ，１５ａ，１５ｂをそれぞれ設けてある。
【００１３】
前記可動接点２０は、弾性の導電材料からなり、前記ベース１０の凹所１１に嵌合可能な薄型ドーム形状を有している。そして、前記ベース１０の凹所１１に前記可動接点２０を嵌合することにより、前記可動接点２０の外周縁部２１が固定接点１３ａ，１３ｂにそれぞれ接触する。
【００１４】
前記絶縁シート２５は、前記ベース１０の平面を被覆できる略方形である。そして、前記ベース１０のガイド用リブ１４，１５間に前記絶縁シート２５を配置することにより、前記凹所１１が被覆される。
【００１５】
前記操作部材３０は、操作部３１の片面に略Ｕ字形状の枠体３２を一体成形するとともに、前記枠体３２の対向する外側面にガイド用突条３３，３３を側方にそれぞれ突出している。さらに、前記操作部３１の片面中央には前記枠体３２内に位置する操作片３４を側方に突設してある。
そして、前記ベース１０のガイド用リブ１４，１５間に前記操作部材３０の枠体３２を位置決めすることにより、スライド可能に組み付けられる。このため、前記操作片３４の先端部３５は、図４に示すように、その上方円弧面３５ａが後述するカバー４０のガイド部４４に当接可能となり、その下方円弧面３５ｂが前記絶縁シート２５を介して可動接点２０に当接する。
【００１６】
前記カバーは、前記ベース１０の平面を被覆可能な平面形状を有しているとともに、対向する両辺縁部から一対の弾性係合爪４１ａ，４１ｂおよび４２ａ，４２ｂをそれぞれ切り出し、下方側に屈曲してある。また、前記カバー４０は、平面片側に略長方形の貫通孔４３を設けるとともに、その長辺縁部にプレス加工を施すことにより、ガイド部４４と、前記ガイド部４４の両側に補強部４５，４５とを形成してある。
そして、前記ベース１０に前記カバー４０を装着すると、弾性係合爪４１ａ，４１ｂ，４２ａ，４２ｂが外側に弾性変形した後、前記ベース１０の係合用突起１４ａ，１５ａ，１４ｂ，１５ｂにそれぞれ係合する。さらに、操作部材３０の枠体３２と、操作片３４の先端部３５との間に、カバー４０のガイド部４４が位置するので、操作部材３０が抜け止めされる。
【００１７】
前述の構成からなる押釦スイッチの操作方法について説明する。
まず、操作前であれば、図４に示すように、操作部材３０の操作部３１がベース１０から突出している。また、操作片３４の先端部３５の上方円弧面３５ａがガイド部４４の下面に接触し、その下方円弧面３５ｂが絶縁シート２５を介して可動接点２０に接触している。さらに、可動接点２０は中央固定接点１２ａから開離している。
【００１８】
そして、前記操作部材３０の操作部３１を押し込むと、ガイド用突条３３，３３がガイド用リブ１４，１５に沿ってスライド移動する。このため、操作片３４の先端部３５がガイド部４４に沿って押し下げられ、前記先端部３５の下方円弧面３５ｂが可動接点２０の中央部を押し下げる。そして、可動接点２０の中央部が所定の位置まで押し下げられて反転すると、可動接点２０が中央固定接点１２ａに接触し、中央固定接点１２ａと固定接点１３ａ，１３ｂとを電気接続する。なお、前記中央固定接点１２ａの上面には接触信頼生を高めるために断面略Ｖ字形の細溝が形成されている。
【００１９】
ついで、前記操作部材３０に対する押圧を解除すると、可動接点２０のバネ力で前記操作片３４の先端部３５が押し上げられるとともに、前記可動接点２０の水平分力で側方に押し出され、操作部材３０は元の位置に復帰する。ただし、枠体３２がガイド部４４および補強部４５に係止するので、操作部材３０はベース１０から脱落することはない。
【産業上の利用可能性】
【００２０】
本発明にかかる押釦スイッチは、カバーのガイド部の両側に補強部をそれぞれ設ける場合に限らず、ガイド部の片側のみに補強部を設けてもよい。
【図面の簡単な説明】
【００２１】
【図１】本発明にかかる押釦スイッチの実施形態を示す斜視図である。
【図２】図１に示した押釦スイッチの分解斜視図である。
【図３】図１に示した押釦スイッチの平面図である。
【図４】図４Ａ，図４Ｂは図３で示すＡ−Ａ線で切断した断面図，Ｂ−Ｂ線で切断した断面図である。
【図５】動作状態を示す断面図である。
【図６】図６Ａ，図６Ｂは図１で示したカバー単体の斜視図，断面図である。
【符号の説明】
【００２２】
１０：ベース
１１：凹所
１２，１３：固定接点端子
１２ａ：中央固定接点
１３ａ，１３ｂ：固定接点
１４，１５：ガイド用リブ
１４ａ，１４ｂ，１５ａ，１５ｂ：係合用突起
２０：可動接点
２５：絶縁シート
３０：操作部材
３１：操作部
３２：枠体
３３：ガイド用突条
３４：操作片
３５：先端部
３５ａ：上方円弧面
３６ａ：下方円弧面
４０：カバー
４１ａ，４１ｂ，４２ａ，４２ｂ：弾性係合爪
４３：貫通孔
４４：ガイド部
４５：補強部
【図１】
2007173172.tif 000003
【図２】
2007173172.tif 000004
【図３】
2007173172.tif 000005
【図４】
2007173172.tif 000006
【図５】
2007173172.tif 000007
【図６】
2007173172.tif 000008